(57)【特許請求の範囲】
【請求項１】
平行な対をなす上部破砕ローラと、その下方に配備される下部破砕ローラとを備え、供給される粗大物を対をなす上部破砕ローラにより破砕し、ついで下部破砕ローラと、これに対向して配置される固定刃とにより微細状に破砕し排出する粗大物破砕装置において、上記下部破砕ローラは多数の破砕刃を円周方向に取り付け、各刃は平行に、かつ軸方向に波状とし、相対する固定刃とにより、上部破砕ローラにより破砕された粗砕物を更に細かく破砕するとともに、下部破砕ローラの下部には、下部破砕ローラの回転軸と直交する面内に配設した部材のみからなり、上面を下部破砕ローラに適宜間隔を存して沿うように半円形状とした排出規制板を、また上記固定刃は下部破砕ローラを挟んで左右に取り付け、排出物中の破砕されない所定長以上の粗砕物を排出規制板により選別して保持し、下部破砕ローラの回転により反対側の固定刃側に移行させ、下部破砕ローラと反対側の固定刃とにより破砕することを特徴とする粗大物破砕装置。
【請求項２】
下部破砕ローラの破砕刃は両刃として該ローラの正逆回転による左右何れかの固定刃とにより破砕を可能としたことを特徴とする請求項１記載の粗大物破砕装置。
【発明の詳細な説明】
【０００１】
【発明の属する技術分野】
本発明は、廃材、産業廃棄物等の粗大物、特に長尺物や薄物を確実に破砕する粗大物破砕装置に関するものである。
【０００２】
【従来の技術】
上記粗大物破砕装置の従来例の一例を図９乃至図１２に示す。この粗大物破砕装置５０は,筺体５１内に対をなす上部破砕ローラ５２，５３と、下部破砕ローラ５４とを備える。上部破砕ローラ５２，５３は平行に筺体５１内に回動可能に収納し、それぞれねじれ方向を逆としたスクリュー状破砕刃５２ａ、５３ａを備える。下部破砕ローラ５４は、左右方向のねじれ破砕刃５４ａ、５４ｂとの交差型破砕刃とした例を示す。５７は両破砕刃により形成される升目を、また５８は固定刃、５９は補助固定刃を示す。
【０００３】
これにより粗大物の破砕に際しては、供給される粗大物を上部両破砕ローラ５２、５３により破砕し、破砕された粗砕物は下方に排出され、ついで下部破砕ローラ５４と固定刃５８とにより細かく破砕され、下方に排出される。
【０００４】
【発明が解決しようとする課題】
この際、下部破砕ローラ５４に供給される粗砕物は、その一部が升目５７に保持され、それより突出した部分は固定刃５８とにより切断されるも、粗砕物の形状、例えば柔軟なビニール等の細長い長尺物や薄片、薄物等によっては上記升目５７には保持されず、破砕刃上に横たわった状態になる場合がある。この場合には破砕は困難で、そのまゝ排出されることがある。
【０００５】
本発明は、かゝる点に鑑み、長尺物や薄物の廃棄物を確実に破砕することができるようにした粗大物破砕装置を提供することを目的とする。
【０００６】
【課題を解決するための手段】
上記目的を達成するため、本発明の粗大物破砕装置は、平行な対をなす上部破砕ローラと、その下方に配備される下部破砕ローラとを備え、供給される粗大物を対をなす上部破砕ローラにより破砕し、ついで下部破砕ローラと、これに対向して配置される固定刃とにより微細状に破砕し排出する粗大物破砕装置において、上記下部破砕ローラは多数の破砕刃を円周方向に取り付け、各刃は平行に、かつ軸方向に波状とし、相対する固定刃とにより、上部破砕ローラにより破砕された粗砕物を更に細かく破砕するとともに、下部破砕ローラの下部には、下部破砕ローラの回転軸と直交する面内に配設した部材のみからなり、上面を下部破砕ローラに適宜間隔を存して沿うように半円形状とした排出規制板を、また上記固定刃は下部破砕ローラを挟んで左右に取り付け、排出物中の破砕されない所定長以上の粗砕物を排出規制板により選別して保持し、下部破砕ローラの回転により反対側の固定刃側に移行させ、下部破砕ローラと反対側の固定刃とにより破砕することを特徴とする。
【０００７】
この粗大物破砕装置は、対をなす上部破砕ローラにより破砕された粗砕物は、下部破砕ローラに供給される。この下部破砕ローラは多数の破砕刃を円周方向に取り付け、各刃は平行に、かつ軸方向に波状としたことにより、供給される粗砕物の破砕刃間への噛み込みはよく、切断は破砕刃の長手方向に沿った斜切りで行われる。従って切断は衝撃を生ずることなく、円滑にしかも粗砕物が柔軟かつ薄片でも、確実に切断することができる。
また、排出物中に破砕されない所定長さ以上の粗砕物は排出規制板に引っ掛かり、下部破砕ローラの回転に伴い移行して反対側の固定刃とにより確実に破砕される。
【０００８】
また、第２の発明は、下部破砕ローラの破砕刃は両刃として該ローラの正逆回転による左右何れかの固定刃とにより破砕を可能とすることができる。
【０００９】
これにより、下部破砕ローラは必要により正逆回転したとき、正逆何れの回転においても破砕を行うことができる。
【００１０】
【発明の実施の形態】
以下、本発明の粗大物破砕装置の実施の形態を図面に基づいて説明する。
【００１１】
図１乃至図７は、本発明の粗大物破砕装置の第１実施例を示す。図において粗大物破砕装置１は、周知構造と同様に上下を開口した筺体２内に対をなす上部破砕ローラ３，４と、その下方に位置する下部破砕ローラ５と、この下部破砕ローラ５を挟んで左右に固定刃６と、補助固定刃７とを備える。
【００１２】
上部破砕ローラ３，４は従来例と同一のスクリュー状の破砕刃を有するものであり、説明を省略する。ただし３ａ、４ａは破砕ローラ３，４の破砕刃を示す。
【００１３】
下部破砕ローラ５は、ローラ軸８に円周方向に多数の破砕刃９を取り付けたもので、破砕刃９は図４に示す如くそれぞれ円周方向に平行、かつ軸方向に傾斜させた波形に屈曲してなる。
【００１４】
１０は下部破砕ローラ５の下部に取り付けられた排出規制板を示す。この規制板１０は、下部破砕ローラ５により破砕されない処理材、例えば軟質のビニール薄膜等で、これの下方への排出を阻止するようにしたもので、上面を下部破砕ローラ５に沿うように半円形状とし、多数の排出規制板を両端を連結板１１により適宜の間隔Ｌを存して連結する。この間隔は処理目的(排出物の長さ等）により、適宜選択する。
【００１５】
次に、この粗大物破砕装置の動作について説明する。供給される粗大物は、まず上部破砕ローラ３，４により破砕され、下方の下部破砕ローラ５に供給される。供給された粗砕物は下部破砕ローラと固定刃６とにより破砕される。この際、各破砕刃８は平行に、かつ軸方向に波形に屈曲しているため、粗砕物の一端は破砕刃間に噛み込まれ易く直線刃の固定刃とにより、粗砕物は一端より順次切断される。即ちこの切断は鋏による切断（以下斜切りという）により行われる。
【００１６】
この際、破砕ローラ５には軸方向にトルクが加わるが、これは破砕刃８は軸方向に波形に屈曲しており、従って左右相殺されて筺体との間の軸受けには負荷は加わらない。
【００１７】
破砕された破砕物の内、下部破砕刃８によって破砕されず通過した例えばビニール等の軟弱な、かつ薄片で比較的長い粗砕物は、排出規制板１０に引っ掛かり、下部破砕ローラ５の回転に追随して移行し、反対側の補助固定刃７とにより破砕される。
【００１８】
なお、この排出規制板１０に引っ掛かる粗砕物の長さは、該規制板１０の取り付け間隔により決定される。従ってこの間隔をその目的により適宜選択すると共に、破砕物が木材、ガラス等破砕し易い材質、肉厚の破砕物等によってはこれを省略してもよい。
【００１９】
図８は他の実施例を示す。図において粗大物破砕装置２０は、下部破砕ローラ２１を正逆回転に対応できるように破砕刃２２を両刃構造としたもので、その他の構造は前記粗大物破砕装置１と同一であり、同一部品には同一符号を付して説明を省略する。なお、固定刃６及び補助固定刃７も同様に両刃構造とすることが好ましい。
【００２０】
【発明の効果】
本発明の粗大物破砕装置によれば、下部破砕ローラは多数の破砕刃を円周方向に取り付け、かつ該刃は軸方向に波状とし、相対する固定刃とにより破砕された粗砕物を破砕するようにしたから、供給される粗大物は、斜切りされる故、破砕は確実に行われ、微細状に破砕することができる。
また、下部破砕ローラの下部には適宜間隔を存して排出規制板を、また上記固定刃は下部破砕ローラを挟んで左右に取り付けることにより、排出物中の破砕されない所定長以上の粗砕物が排出規制板に引っ掛かり、下部破砕ローラの回転に追随移行して反対側の固定刃側に移行して破砕する故、該所定長さ以上の粗砕物が排出されることはない。
【００２１】
また、下部破砕ローラの破砕刃を両刃としたことにより、負荷等による該ローラの正逆回転を行った場合、左右何れかの固定刃とにより破砕を行うことができる。
【図面の簡単な説明】
【図１】  図１乃至図７は本発明の粗大物破砕装置の一実施例を示し、図１は縦断面図である。
【図２】  一方の上部破砕ローラの正面図である。
【図３】  他方の上部破砕ローラの正面図である。
【図４】  下部破砕ローラの正面図である。
【図５】  排出規制板の正面図である。
【図６】  図５の底面図である。
【図７】  図５の右側面図である。
【図８】  本発明の他の実施例の粗大物破砕装置の縦断面図である。
【図９】  図９乃至図１２は従来例の粗大物破砕装置の一例を示し、図９はその縦断面図である。
【図１０】  一方の上部破砕ローラの正面図である。
【図１１】  他方の上部破砕ローラの正面図である。
【図１２】  下部破砕ローラの正面図である。
【符号の説明】
１    粗大物破砕装置
３    上部破砕ローラ
４    上部破砕ローラ
５    下部破砕ローラ
６    固定刃
７    補助固定刃
８    破砕刃
１０  排出規制板
２０  粗大物破砕装置
２１  下部破砕ローラ
２２  破砕刃
【図１】
0003894744.tif 000002
【図２】
0003894744.tif 000003
【図３】
0003894744.tif 000004
【図４】
0003894744.tif 000005
【図５】
0003894744.tif 000006
【図６】
0003894744.tif 000007
【図７】
0003894744.tif 000008
【図８】
0003894744.tif 000009
【図９】
0003894744.tif 000010
【図１０】
0003894744.tif 000011
【図１１】
0003894744.tif 000012
【図１２】
0003894744.tif 000013